(57)【要約】 【課題】  ラチェットハンドルの汎用品を流用して多種のソケットを落下させないように取り付けることを実現することにより、ソケットの落下を考慮することなく、ボルトなどの回転対象を回転させることができるようにして、作業性に優れる安価なラチェットハンドル用アダプタおよび回転補助具を提供する。【解決手段】  ラチェットハンドル１０の係合部１１に取り付けるアダプタ２０であって、その係合部１１に貫通させる貫通部２１と、その係合部１１に相対回転不能に連結される連結部２２と、回転対象のアイボルトの頭部を収装孔２３ａ内に収装して相対回転不能に係合する収装部２３と、この収装部２３の反対側でラチェットハンドル１０の係合部１１に引抜不能に係止される係止部２４とを備えて、これら各部２１〜２４が分離不能に連設されている。【選択図】      図４
2005279800.tif 000002
【特許請求の範囲】
【請求項１】
ラチェットハンドルの回転対象に係合させる係合孔に取り付けるラチェットハンドル用アダプタであって、
ラチェットハンドルの表裏に連通する係合孔に貫通させる貫通部と、
ラチェットハンドルの係合孔の表側または裏側の一方に連結されて、他方に向かって引抜不能に、かつ、相対回転不能に係合する貫通部の一端部に連設された連結部と、
該連結部に連設されて回転対象に係合する係合部と、
連結部がラチェットハンドルの係合孔の表側または裏側の一方側に連結されている状態を維持するように貫通部の他端部を該係合孔の他方側に係止させる該貫通部の他端部に連設された係止部と、
を備えて、これら貫通部、連結部、係合部および係止部を作業中に分離不能にした
ことを特徴とするラチェットハンドル用アダプタ。
【請求項２】
前記係止部は、貫通部の先端側としてラチェットハンドルの係合孔内を貫通可能な形状から該係合孔内に再度進入不能な形状に外形を変化させる構造を備えるとともに、貫通部、連結部および係合部と共に分離不能な一部品に形成されていることを特徴とする請求項１に記載のラチェットハンドル用アダプタ。
【請求項３】
前記貫通部および係止部が分離不能な一部品に形成されるとともに、連結部および係合部が分離不能な一部品に形成されて、
ラチェットハンドルの係合孔内を貫通する貫通部と連結部を結合することにより、該係合孔内に進入不能な係止部および係合部が当該係合孔から引き抜き不能に取り付けることを特徴とする請求項１に記載のラチェットハンドル用アダプタ。
【請求項４】
前記係合部は、アイボルトの頭部を回転不能に収装するソケット形状に形成されていることを特徴とする請求項１から３のいずれかに記載のラチェットハンドル用アダプタ。
【請求項５】
遠隔位置に設置されている機器の回転対象の緊締・解除作業を補助する回転補助具であって、
上記請求項１から４のいずれかに記載のラチェットハンドル用アダプタを一端部に取り付けたラチェットハンドルと、
該ラチェットハンドルの他端部を回動可能に軸支する回動軸を先端部に取り付けられた絶縁棒と、
を備えることを特徴とする回転補助具。
【発明の詳細な説明】
【技術分野】
【０００１】
本発明は、ラチェットハンドル用アダプタおよび回転補助具に関し、詳しくは、落下する恐れなく、ボルトなどの回転対象にラチェットハンドルの一端部を相対回転不能に係合させることを可能にするものに関する。
【背景技術】
【０００２】
従来より、ボルトなどのように回転させることにより緊締し、または、その緊締を解除することのできる部材が知られており、このような回転対象を回転させる作業負担を軽減させるために、正逆の一方向のみの回転を許容しつつ逆方向の回転を制限することのできるラチェットハンドルを利用することが行われている。このラチェットハンドルは、ボルトなどに相対回転不能に係合する一端部が、そのハンドルの回動に対して一方向には空回転する一方、逆方向には一緒に回転することにより、例えば、作業スペースの無いような場所でも、ボルトなどの緊締・解除作業を容易に行うことができる。なお、このラチェットハンドルは、その一端部の回転を許容・制限する方向を切替可能な構造に作製されるのが一般的である。
【０００３】
この種のラチェットハンドルとしては、その一端部と、多種の係合孔を形成されているソケットとが互いに着脱可能なオスメス構造に作製されているものがある。この場合には、一方に設けられて浮き沈みするボールポイントが他方に刻設された溝孔などに係合することにより、容易に外れてしまうことがないように設計されている。例えば、図１０に示すトランス１００などの機器は、蓋１０１を締め付けるアイボルト１０２が異形の頭部１０２ａを有しており、その頭部１０２ａを回転させてネジ部１０２ｂを捻じ込む必要がある。このことから、このラチェットハンドルは、そのアイボルト１０２の頭部１０２ａを収装して係合する係合孔が形成されているソケットを取付可能に工夫されている（例えば、特許文献１参照）。
【０００４】
また、このようなラチェットハンドルとしては、その一端部に異なる２サイズのボルトに係合可能な係合孔を備えるものがある。この場合には、回転対象が限られてしまうことから、そのラチェットハンドルの係合孔に連結させることができるとともに、回転対象に係合させる係合孔が形成されている多種のソケットを取付可能な中間部材を用いることが提案されている。この場合にも、上記文献１に記載のように、一方のボールポイントが他方の溝孔などに係合することにより、容易に外れてしまうことがないように設計されている（例えば、特許文献２参照）。
【特許文献１】特開平８−３２３６３５号公報
【特許文献２】実公平７−  １８５３０号公報
【発明の開示】
【発明が解決しようとする課題】
【０００５】
しかしながら、このような従来のラチェットハンドルにあっては、いずれにしても交換可能なソケットを保持するのは、浮き沈み可能なボールポイントであることから、信頼性に欠けてしまう。
【０００６】
ここで、電柱上などの高圧充電電路に設置されているトランスなどの機器のボルト等を緊締・解除する作業を行う場合には、高圧電路を充電したまま、高圧充電部分に接近して作業をすることがある。この際には、絶縁性を有した絶縁用保護具を着用して作業することが定められているが、作業者の安全を確保するためには遠隔位置からそのボルトなどを回転させる作業を行う方がより望ましい。このとき、ラチェットハンドルは、手元になく、電柱下には通行する歩行者や家屋・駐車車両等がある場合もあり、また、ラチェットハンドルからのソケットの落下による高圧充電部への接触・機器の破損などの恐れもある。このことから、そのソケットを落下させないように安全を確保することが必要である。例えば、歩行者などの通過を待つ、機器などの高圧充電部に絶縁用防具を取付けるなどの対策が必要であり、作業性・作業効率が著しく悪い、という問題があった。
【０００７】
また、大掛かりな装置構成としたのでは、コスト高になるだけであり、利用性に劣ることになる。よって、安価な構成で、多種の回転対象を回転させることができるように、多種のソケットを確実に取り付けることができる構成を実現する必要がある。
【０００８】
そこで、本発明は、ラチェットハンドルの汎用品を流用して多種のソケットを落下させないように取り付けることを実現することにより、ソケットの落下を考慮することなく、ボルトなどの回転対象を回転させることができるようにして、作業性に優れる安価なラチェットハンドル用アダプタおよび回転補助具を提供することを目的とする。
【課題を解決するための手段】
【０００９】
上記課題を解決するラチェットハンドル用アダプタの第１の発明は、ラチェットハンドルの回転対象に係合させる係合孔に取り付けるラチェットハンドル用アダプタであって、ラチェットハンドルの表裏に連通する係合孔に貫通させる貫通部と、ラチェットハンドルの係合孔の表側または裏側の一方に連結されて、他方に向かって引抜不能に、かつ、相対回転不能に係合する貫通部の一端部に連設された連結部と、該連結部に連設されて回転対象に係合する係合部と、連結部がラチェットハンドルの係合孔の表側または裏側の一方側に連結されている状態を維持するように貫通部の他端部を該係合孔の他方側に係止させる該貫通部の他端部に連設された係止部と、を備えて、これら貫通部、連結部、係合部および係止部を作業中に分離不能にしたことを特徴とするものである。
【００１０】
この発明では、ラチェットハンドルの係合孔に貫通部を貫通させて連結部を連結するとともに、その反対側に係止部を係止させるだけで、連結部に連設させた係合部を引抜不能かつ相対回転不能に取り付けることができる。したがって、汎用品のラチェットハンドルを流用して、当該アダプタを交換するだけで、多種のソケットなどの係合部が落下することを心配することなく、ボルトなどの回転対象を回転させて緊締・解除などする作業を行うことができる。
【００１１】
上記課題を解決するラチェットハンドル用アダプタの第２の発明は、上記第１の発明の特定事項に加え、前記係止部は、貫通部の先端側としてラチェットハンドルの係合孔内を貫通可能な形状から該係合孔内に再度進入不能な形状に外形を変化させる構造を備えるとともに、貫通部、連結部および係合部と共に分離不能な一部品に形成されていることを特徴とするものである。
【００１２】
この発明では、係止部から係合部まで分離不能に連設されており、その係止部は、外形を変形させることによりラチェットハンドルの係合孔内に再度進入不能になって、その係合孔を反対側の連結部との間でいずれの方向にも引抜不能に挟むことができる。したがって、ラチェットハンドルの係合孔内に係止部を貫通させて外形を変化させるだけで、汎用品のラチェットハンドルの係合孔に当該アダプタを落下させないように交換・取付することができる。
【００１３】
上記課題を解決するラチェットハンドル用アダプタの第３の発明は、上記第１の発明の特定事項に加え、前記貫通部および係止部が分離不能な一部品に形成されるとともに、連結部および係合部が分離不能な一部品に形成されて、ラチェットハンドルの係合孔内を貫通する貫通部と連結部を結合することにより、該係合孔内に進入不能な係止部および係合部が当該係合孔から引き抜き不能に取り付けることを特徴とするものである。
【００１４】
この発明では、貫通部の先端をラチェットハンドルの係合孔内に貫通させてその先端部に連結部を結合することにより、係止部および係合部がラチェットハンドルの係合孔内に進入不能になって、いずれの方向にも引抜不能に挟むことができる。したがって、ラチェットハンドルの係合孔内に貫通部を貫通させて連結部に結合するだけで、汎用品のラチェットハンドルの係合孔に当該アダプタを落下させないように交換・取付することができる。
【００１５】
上記課題を解決するラチェットハンドル用アダプタの第４の発明は、上記第１から第３の発明の特定事項に加え、前記係合部は、アイボルトの頭部を回転不能に収装するソケット形状に形成されていることを特徴とするものである。
【００１６】
この発明では、ラチェットハンドルの係合孔の表裏の一方側に相対回転不能に取り付けられたソケット形状の係合部内に、アイボルトの頭部を収装させて相対回転不能に係合させることができる。したがって、係合孔の回転不能な方向にラチェットハンドルを回動させることにより、アイボルトを回転させて緊締・解除することができる。
【００１７】
上記課題を解決する回転補助具の第１の発明は、遠隔位置に設置されている機器の回転対象の緊締・解除作業を補助する回転補助具であって、上記第１から第４のいずれかの発明のラチェットハンドル用アダプタを一端部に取り付けたラチェットハンドルと、該ラチェットハンドルの他端部を回動可能に軸支する回動軸を先端部に取り付けられた絶縁棒と、を備えることを特徴とするものである。
【００１８】
この発明では、絶縁棒の先端部に取り付けられたラチェットハンドルの係合孔に、上記のアダプタを装着することにより、そのアダプタが落下することを心配することなく、遠隔位置から回転対象に係合部を係合させて、その回転対象を回転させることができる。したがって、例えば、アイボルトを収装して回転させることのできるソケット形状の係合部を備えるアダプタを装着したときには、高所に設置されたトランスなどの蓋を取り付けるアイボルトを緩めて内部を点検した後に、そのアイボルトを締め戻す作業を容易に行うことができる。
【発明の効果】
【００１９】
本発明によれば、汎用品のラチェットハンドルの係合孔に、回転対象に係合させる係合部を備えるアダプタを落下させる心配なく装着することができ、例えば、絶縁棒の先端部に取り付けて遠隔位置で作業する場合に、歩行者が通過するのを待つなどの過度の対策を講じることなく、作業を遂行することができる。したがって、作業性を安価に向上させることができる。
【発明を実施するための最良の形態】
【００２０】
以下、本発明の最良の実施形態を図面に基づいて説明する。図１〜図８は本発明に係るアダプタをセットしたラチェットハンドルを備える回転補助具の一実施形態を示す図である。
【００２１】
図１において、回転補助具は、ボルトなどの回転対象を正逆の一方向のみ回転させるラチェットハンドル１０と、このラチェットハンドル１０の一端部に取り付けるラチェットハンドル用アダプタ２０と、ラチェットハンドル１０の他端部を回動可能に軸支する連結部材３０と、この連結部材３０が先端部に取り付けられる絶縁棒４０と、を備えている。この回転補助具は、図１０および図１１に示すように、電柱などの高所（遠隔位置）に設置されているトランス１００の蓋１０１を開閉する際にアイボルト（回転対象）１０２の緊締・解除作業を補助する。
【００２２】
ラチェットハンドル１０は、図２に示すように汎用品であり、一端部の表裏に突出して回転自在に支持されている係合部１１と、この係合部１１の許容する回転方向を切り換える切換レバー１２と、係合部１１の上下の向きを変更する変更部１３と、他端部の連結部材３０に回動自在に連結される連結孔１４とを備えている。
【００２３】
係合部１１は、ラチェットハンドル１０における表裏のそれぞれに、異なる２サイズのボルトを収装して回転不能に係合する係合孔１１ａ、１１ｂを備えており、この係合孔１１ａ、１１ｂは、その表裏に貫通している。切換レバー１２は、この係合部１１の回転方向を一方向のみに制限する不図示のラチェット爪に連携するように一端部内に内蔵されており、倒す方向を変えることにより、そのラチェット爪がラチェットリンクの回転を係止する方向を正逆のいずれか一方向に切り換える。
【００２４】
変更部１３は、ラチェットハンドル１０の一端部に固設されて他端部に向かって延在する変更棒１３ａと、この変更棒１３ａを内部に挿入した状態で回転可能に保持する保持部１３ｂと、この保持部１３ｂ内に挿入された変更棒１３ａの回転をねじ止め固定する固定ネジ１３ｃと、を備えており、変更棒１３ａを保持部１３ｂ内で回転させて固定ネジ１３ｃにより固定することにより、ラチェットハンドル１０の係合部１１の上下を切り換えて固定することができ、係合孔１１ａ、１１ｂのいずれを下向きにして使用するか選択することができる。連結孔１４は、この変更部１３の保持部１３ｂの他端部側に、後述する連結部材３０の回転軸３１を相対回転自在に貫通させる。
【００２５】
ラチェットハンドル用アダプタ２０（以下では、単にアダプタ２０ともいう）は、図３に示すように、ラチェットハンドル１０の係合部１１の係合孔１１ａ、１１ｂ内に貫通させる貫通部２１と、この貫通部２１の一端部に連設されて係合孔１１ｂ内に相対回転不能に係合可能な連結部２２と、この連結部２２に連設されてアイボルト１０２の頭部１０２ａを収装して相対回転不能に係合する収装部（係合部）２３と、貫通部２１の他端部に連設されて係合孔１１ａの表側端面に引き抜き不能に係止される係止部２４と、を備えており、これらの貫通部２１、連結部２２、収装部２３および係止部２４は分離不能に溶接などされて部品に形成されている。
【００２６】
貫通部２１は、連結部２２と合わせてラチェットハンドル１０の係合孔１１ａ、１１ｂの長さになるように設定されており、連結部２２を係合孔１１ｂに係合させた状態で係止部２４を係合孔１１ａの表側から露出させる長さに設定されている。連結部２２は、ラチェットハンドル１０の係合孔１１ｂ内に収装するナット形状に形成されており、貫通部２１を通過させた後に係合孔１１ｂ内に収装されて連結されることにより相対回転不能に係合させることができる。収装部２３は、アイボルト１０２の頭部１０２ａを収装可能なソケット形状に形成されており、その収装孔２３ａ内にアイボルト１０２の頭部１０２ａを収装して相対回転不能に係合する。係止部２４は、貫通部２１の他端部の延長方向に対して直交方向にずらすようにスライドさせることにより、その貫通部２１の外面の延長面から突出する構造に形成されている。
【００２７】
すなわち、アダプタ２０は、図４（ａ）に示すように、係止部２４を貫通部２１と共にラチェットハンドル１０の係合孔１１ａ、１１ｂ内を貫通させて、連結部２２をその係合孔１１ｂに係合させるとともに、図４（ｂ）に示すように、その係合孔１１ａの表側から露出する係止部２４をスライドさせるだけで、その貫通部２１に連続する外形を変形させて係止させることができる。言い換えると、係止部２４は、貫通部２１の先端部に対して変位することにより、係合孔１１ａ内に再度進入不能に（戻らないように）することができ、係合孔１１ａの表側端面に引抜不能に係止させることができる。この状態では、アダプタ２０は、収装部２３と係止部２４の間にラチェットハンドル１０の係合部１１を挟んで、表裏のいずれの方向にも引き抜き不能（落下不能）にすることができ、連結部２２が係合孔１１ｂに相対回転不能に連結・係合する状態を維持することができる。これにより、ラチェットハンドル１０を一端部を中心に回動させることにより、収装部２３内に頭部１０２ａが相対回転不能に収装されたアイボルト１０２を回転させることができる。なお、このアダプタ２０は、回転対象毎の収装部２３が固設されているものを多種揃えることにより、ラチェットハンドル１０に取り付けるものを交換するだけで、異なる回転対象に対応することができる。
【００２８】
ここで、アダプタ２０の係止部２４は、図５および図６に示す連結構造６０により貫通部２１の先端部に取り付けられている。この連結構造６０の貫通部２１側には、その先端面に穿孔された取付穴６１内に固定されている連結ピン６２と、その取付穴６１内でその連結ピン６２に外装されるとともに上方に弾性力を加えるスプリング６３と、その先端面に刻設されて係止部２４のスライド方向に延在する２筋のスライドリブ６４と、を備えている。一方、係止部２４側には、貫通部２１側の連結ピン６２の本体部分を挿通可能に上下に貫通するとともにスライド方向に延在する長孔６５と、この長孔６５の上面側に形成された連結孔６６と、貫通部２１側のスライドリブ６４に係合して相対移動することを許容するようにスライド方向に延在する２筋のスライド溝６７と、を備えている。
【００２９】
この連結構造６０の連結ピン６２は、係止部２４側に連結させる先端部に大径部６２ａが形成されており、連結孔６６は長孔６５の両端部の２箇所を中心としてその大径部６２ａを挿脱可能な円形に穿孔されて形成されている。これにより、貫通部２１および係止部２４は、スプリング６３の弾性力により互いに離隔する方向に付勢されているが、その連結ピン６２の大径部６２ａが長孔６５と連結孔６６との段差部を衝止して、スライド溝６４およびスライドリブ６７が互いに係合する状態を維持している。
【００３０】
また、このスライドリブ６４およびスライド溝６７は、その貫通部２１および係止部２４がスプリング６３の弾性力に抗して互いに近接する場合には、連結ピン６２の大径部６２ａが連結孔６６から離脱することを可能にする程度の高さおよび深さに形成されている。これにより、係止部２４は、図７に示すように、貫通部２１の先端部側へ押下しつつずらすようにスライドさせることができ、２箇所の連結孔６６のいずれかにスライド不能に嵌ることができる。
【００３１】
よって、この連結構造６０は、貫通部２１側の連結ピン６２の大径部６２ａが２箇所の連結孔６６の間を相対移動するように係止部２４をスライドさせることにより、この係止部２４が、貫通部２１の外面に連続する貫通位置（姿勢）と、その外面の延長面から突出する係止位置とに変化することを許容することができる。
【００３２】
したがって、係止部２４は、貫通部２１に対して、ラチェットハンドル１０の係合孔１１ａ、１１ｂ内を貫通可能な姿勢からその係合孔１１ａ、１１ｂ内に再度進入不能（引抜不能）な姿勢に変化することができ、貫通位置と係止位置との間は、連結ピン６２の大径部６２ａを連結孔６６から離脱させない限り、移動してしまうことを信頼性高く防止することができる。また、この係止部２４は、ラチェットハンドル１０の係合孔１１ａ、１１ｂ内への貫通方向に対して直交する方向にスライドするので、引き抜き方向に荷重負荷などが掛かったとしても戻る方向の負荷になることはなく、そのラチェットハンドル１０の係合孔１１ａ、１１ｂから不用意に抜けてしまうことがない。なお、本実施形態では、連結構造６０をスライド構造に構築するが、例えば、貫通部２１の中央からずれた位置を中心に捻じることにより、貫通部２１の外面に連続する貫通位置と、その外面の延長面から突出する係止位置とに変化させるようにしてもよい。
【００３３】
連結部材３０は、ラチェットハンドル１０の変更部１３の他端側に開口する連結孔１４に相対回転自在に貫通させる回転軸３１と、この回転軸３１に連設されて絶縁棒４０の先端部に取り付けるジョイント３２とを備えており、ラチェットハンドル１０および絶縁棒４０を互いの回動を許容しつつ連結する。
【００３４】
回転軸３１は、ラチェットハンドル１０および絶縁棒４０の延在方向に対して直交する姿勢になるようにジョイント３２に固設されており、ラチェットハンドル１０の連結孔１４内に挿通した先端部には、その連結孔１４よりも大径の支持部材３１ａが取り付けられて脱落不能に割りピンなどが差し込まれている。ジョイント３２は、絶縁棒４０側に開口した後に直交方向に屈曲する切欠３２ａが形成されており、後述する絶縁棒４０のピン４１がその切欠３２ａの奥まで進入して脱落不能に取り付けられる。
【００３５】
これにより、連結部材３０は、絶縁棒４０の先端にその延長方向の水平面内で回動可能にラチェットハンドル１０を取り付けることができ、この絶縁棒４０を操作することによりラチェットハンドル１０を一端部を中心にして回動させることを可能にする。
【００３６】
絶縁棒４０は、図８に示すように、連結部材３０のジョイント３２に係合させるピン４１と、作業員が把持する基端部側の把持部４２と、中間部分に取り付けられている傘カバー４３、４４と、を備えており、全体をプラスチックなどの絶縁材料で作製されて絶縁性が確保されている。
【００３７】
ピン４１は、絶縁棒４０の先端部側面に一対立設されており、互いに反対側で突起形状に固定されることにより、連結部材３０のジョイント３２の２箇所の切欠３２ａ内に進入して係合することができる。把持部４２は、滑りにくい材質の取替え可能な滑り止が施されている。傘カバー４３、４４は、中間部分における先端側と基端側の２箇所に配設されて、先端側の傘カバー４３が連結部材３０側からの水分を滴下させるとともに、基端側の傘カバー４４が安全に作業を行い得る限界位置を示して、操作する際の安全を確保している。
【００３８】
ここで、絶縁棒４０は、先端部の突起４５を内蔵するスプリングの弾性力に抗して沈ませつつ、ピン４１の双方をジョイント３２の切欠３２ａ内に進入させて回転させた後に、その進入させる力を解放すると、突起４５がスプリングの弾性力により突出してジョイント３２を押し出すことにより、その切欠３２ａから屈曲する係合溝３２ｂ内にピン４１を離脱不能に係合させることができる。また、この絶縁棒４０は、中心部に刻設するネジ形状に螺合するグリップ４６を回転させてジョイント３２側に寄せることにより、ピン４１が回転しないようにロックすることができ、ラチェットハンドル１０を取り付けた連結部材３０が外れてしまうことを信頼性高く防止することができるようになっている。
【００３９】
これにより、絶縁棒４０は、先端部のラチェットハンドル１０を電柱などの高所に設置されているトランス１００などに近接させて安全に作業することができ、そのラチェットハンドル１０の一端部に取り付けられたアダプタ２０の収装部２３内に、回転対象のアイボルト１０２の頭部１０２ａを収装させることができる。この状態で、絶縁棒４０の把持部４２を掴んで、連結部材３０の回転軸３１を介して、ラチェットハンドル１０をアイボルト１０２を中心に回動させることにより、アイボルト１０２を正逆方向に回転させることができ、電柱などの高所に設置されているトランス１００の蓋１０１を開閉する作業を補助することができる。
【００４０】
このように本実施形態においては、汎用品のラチェットハンドル１０の係合孔１１ａ、１１ｂに、例えば、アイボルト１０２の頭部１０２ａに相対回転不能に係合させる収装部２３を備えるアダプタ２０を落下の心配なく装着することができる。このラチェットハンドル１０を先端部に取り付けた絶縁棒４０を操作することにより、遠隔位置のトランス１００のアイボルト１０２の緊締・解除作業を行うことができる。したがって、歩行者が通過するのを待つなどの過度の対策を講じることなく、遠隔位置からトランス１００の保守点検作業などを安全かつ安価に遂行することができる。
【００４１】
ここで、本実施形態では、貫通部２１の他端部に分離不能に係止部２４が連設されているアダプタ２０を一例に説明するが、これに限るものではなく、例えば、図９に示すようなアダプタ５０としてもよい。このアダプタ５０は、連結部２２に代えて、この連結部２２と同一の外形に形成されたナット５２を収装部２３に溶接等して固設するとともに、貫通部２１および係止部２４に代えて、このナット５２に螺合させるボルト５１を備えている。
【００４２】
このアダプタ５０では、ラチェットハンドル１０の係合孔１１ｂにナット５２を相対回転不能に連結・係合させる一方、このナット５２にラチェットハンドル１０の係合孔１１ａを貫通させたボルト５１のネジ部５１ｂを螺合させて取り付けることができ、このボルト５１の頭部５１ａおよび収装部２３が係合孔１１ａ、１１ｂの表裏端面に引き抜き不能に係止される。
【産業上の利用可能性】
【００４３】
これまで本発明の一実施形態について説明したが、本発明は上述の実施形態に限定されず、その技術的思想の範囲内において種々異なる形態にて実施されてよいことは言うまでもない。
【図面の簡単な説明】
【００４４】
【図１】本発明に係るアダプタをセットしたラチェットハンドルを備える回転補助具の一実施形態を示す図であり、その概略全体構成を示す一部拡大立面図である。
【図２】そのラチェットハンドルの概略全体構成を示す立面図である。
【図３】そのラチェットハンドル用アダプタの全体構成を示す立面図である。
【図４】そのアダプタのラチェットハンドルへのセットを説明する図であり、（ａ）はそのセット完了前の状態を示す一部断面立面図、（ｂ）はそのセット完了の状態を示す一部断面立面図である。
【図５】そのラチェットハンドル用アダプタの要部を示す一部断面正面図である。
【図６】そのラチェットハンドル用アダプタの要部の動きを示す状態図であり、（ａ）はその上面図、（ｂ）はその一部断面側面図である。
【図７】そのラチェットハンドル用アダプタの要部の動きを示す状態図であり、（ａ）はその上面図、（ｂ）はその一部断面側面図である。
【図８】そのラチェットハンドルを先端部に取り付ける絶縁棒を示す平面図である。
【図９】そのラチェットハンドル用アダプタの他の態様を示す図であり、（ａ）はそのセット完了前の状態を示す一部断面立面図、（ｂ）はそのセット完了の状態を示す一部断面立面図である。
【図１０】その回転補助具により開閉作業する機器の一例を示す斜視図である。
【図１１】その回転対象を示す平面図である。
【符号の説明】
【００４５】
１０    ラチェットハンドル
１１    係合部
１１ａ、１１ｂ    係合孔
１２    切換レバー
２０、５０    ラチェットハンドル用アダプタ
２１    貫通部
２２    連結部
２３    係合部
２３ａ    収装孔
２４    係止部
３０    連結部材
３１    回転軸
４０    絶縁棒
５１    ボルト
５１ａ    頭部
５１ｂ    ネジ部
５２    ナット
１００    トランス
１０１    蓋
１０２    アイボルト
１０２ａ    頭部
【図１】
2005279800.tif 000003
【図２】
2005279800.tif 000004
【図３】
2005279800.tif 000005
【図４】
2005279800.tif 000006
【図５】
2005279800.tif 000007
【図６】
2005279800.tif 000008
【図７】
2005279800.tif 000009
【図８】
2005279800.tif 000010
【図９】
2005279800.tif 000011
【図１０】
2005279800.tif 000012
【図１１】
2005279800.tif 000013